(57)【特許請求の範囲】
【請求項１】
シャーシの一対のガイド溝に沿って移動する移動部材から立設したガイドローラが前傾状態にされてテープリールからテープが引き出され、上記移動部材が固定部材に位置決めされたローディング完了状態では上記ガイドローラが垂直状態となって上記テープを回転ドラムに巻き付けるテープローディング機構において、
上記移動部材を構成するガイドベースには、その裏面に上記シャーシ上面上を移動する前後に一対づつの接触凸部と、上記ガイドベースの先端裏面から垂設され上記シャーシ裏面を移動する鍔付きボスと、上記ガイドベースの先端部に上記固定部材に位置決めされる位置決めピンとを有し、
上記テープのローディング動作中では上記一方側の接触凸部と上記鍔付きボスとで上記シャーシを挟持し上記ガイドローラ及び上記ガイドベースを前傾状態にして摺動するようにされ、上記テープのローディング完了状態では上記他方側の接触凸部が上記シャーシに接触すると共に、上記ガイドローラが上記固定部材に位置決めされて上記ガイドベースを水平な姿勢にされ、
上記テープのローディング動作完了時には、上記鍔付きボスが上記シャーシ裏面に形成された逃げ溝に入り込んで上記シャーシとはフリー状態にされると共に上記一方側の接触凸部が上記シャーシとは非接触状態にされるように構成したことを特徴とするテープローディング機構。
【発明の詳細な説明】
【０００１】
【産業上の利用分野】
本発明は、ＶＴＲ装置等の記録再生装置のテープローディング機構に関し、特に、テープを回転ドラムにローディング動作するスライド部材に係わるものである。
【０００２】
【従来の技術とその課題】
従来、例えばＶＴＲ装置においてテープを回転ドラムにテープをローディングする方式としていわゆるＭローディングと言われるものがある。このローディング方式ではドラムのリード高さがローディング動作されるテープの下エッジよりも高い所がある。このため、ドラムへのテープの巻き付け時にテープ下エッジがリードにオーバーラップしたり、あるいはテープ下エッジがリードに強く接触してテープダメージを引き起こすといった課題があった。
【０００３】
上述したような課題を解消するための対策として従来のローディング機構の一例としてローディング動作中にスライド部材から立設したガイドローラを前傾姿勢状態にしてテープを引出すことでテープ下エッジのテープテンションを低くしドラムのリードへのテープの当たりを弱くし、ローディング完了状態ではガイドローラを垂直状態に位置決めしてテープをドラムに巻き付けるようにしたものが提案されている。
【０００４】
一方、テープをローディング及びアンローディング動作するスライド部材は、ガイドベースの裏面に形成されている複数の凸部をシャーシ面に接触して移動するように構成されている。
【０００５】
しかし、ローディング及びアンローディング動作中にシャーシと接触する凸部と、ローディング完了時にガイドローラの姿勢を位置決めする凸部とが同一であるため、ローディング及びアンローディング動作を繰り返して行うと凸部がシャーシとの摩擦により摩耗し、このため、ローディング完了時のガイドローラの姿勢が初期の姿勢状態と変化してしまうといった問題があった。この凸部の摩耗を解消するための方法として従来ではシャーシの凸部との摩擦面にグリース等を塗布して回避していたが、このグリースがローディング中のテープに付着しテープ貼付き等の障害が発生していた。
【０００６】
本発明は、上述したような課題を解消するためになされたもので、ローディング完了時のテープガイド位置決めのための凸部の摩耗を回避し、ローディング及びアンローディング動作の繰り返し動作においてもガイドローラを常に正確に位置決めすることのできるテープローディング機構を得ることを目的とする。
【０００７】
【課題を解決するための手段】
上述目的を達成するため、本発明によるテープローディング機構は、シャーシの一対のガイド溝に沿って移動する移動部材から立設したガイドローラが前傾状態にされてテープリールからテープが引き出され、移動部材が固定部材に位置決めされたローディング完了状態ではガイドローラが垂直状態となって上記テープを回転ドラムに巻き付けるテープローディング機構において、移動部材を構成するガイドベースには、その裏面にシャーシ上面上を移動する前後に一対づつの接触凸部と、ガイドベースの先端裏面から垂設されシャーシ裏面を移動する鍔付きボスと、ガイドベースの先端部に固定部材に位置決めされる位置決めピンとを有し、上記テープのローディング動作中では上記一方側の接触凸部と上記鍔付きボスとで上記シャーシを挟持し上記ガイドローラ及び上記ガイドベースを前傾状態にして摺動するようにされ、上記テープのローディング完了状態では上記他方側の接触凸部が上記シャーシに接触すると共に、上記ガイドローラが上記固定部材に位置決めされて上記ガイドベースを水平な姿勢にされ、テープのローディング動作完了時には、鍔付きボスがシャーシ裏面に形成された逃げ溝に入り込んでシャーシとはフリー状態にされると共に一方側の接触凸部もシャーシとは非接触状態にされるように構成したものである。
【００１０】
【作用】
上述のように構成した発明では、ローディング動作中とローディング完了時とで異なる接触凸部を利用しているため、ローディング完了時、一方側の接触凸部がシャーシとは非接触状態となり、ローディング動作中では非接触状態であった他方側の接触凸部がシャーシ上に接触し位置決めピンとによりガイドローラを正確に位置決めすることができる。
【００１１】
また、ローディング動作状態では、一方側の接触凸部と鍔付きボスとでシャーシに摺接しスライド移動するようにしたので、この一方側の接触凸部はローディング完了時のガイドローラの位置決めには一切関係なく非接触状態となり、ローディング動作中のみに寄与する。
【００１２】
また、ローディング完了状態では、ローディング動作中、非接触状態であった他方側の接触凸部がシャーシに接触しガイドローラの姿勢の位置決めを行うようにしたことで、この接触凸部の摩擦による摩耗が一切なくガイドローラの位置決めを常に正確に行うことができる。
【００１３】
【実施例】
以下、本発明によるテープローディング機構の実施例をＶＴＲ装置に適用されるＭローディング方式のテープローディング機構を例にとって図面を参照して説明する。
【００１４】
図１はテープローディング機構のローディング状態の平面図である。
図１において、符号１，２は図示しないシャーシの裏面に回転自在に支承され相互に噛み合うローディングギアであり、両ローディングギア１，２にはそれぞれ第１のリンク３，４及び第２のリンク５，６を介して移動部材としてのスライド部材７，８が連結されている。両スライド部材７，８はガイドベース９，１０上にそれぞれ傾斜ガイド１１，１２とガイドローラ１３，１４とが立設されている。
【００１５】
上述したスライド部材７，８はローディングギア１，２が図示しない駆動モータを駆動源とする駆動機構を介して回転駆動されると、シャーシに形成した仮想線で示したガイド溝１５，１６に沿って移動しアンローディング位置（ガイド溝１５，１６の下端部ａ）と図１に示したように固定部材としてのストッパ部材１７，１８に位置決めされるローディング完了位置との間を走行移動する。
【００１６】
すなわち、スライド部材７，８がアンローディング位置からガイド溝１５，１６に沿って走行移動することで、テープＴはテープリール１９，２０から引き出され、ローディング完了状態において回転ドラム２１に巻き付けられる動作が行える。つまり、ローディング完了状態ではサプライ側リール１９から引き出されたテープＴは、テープカイド２２及び２３を経てサプライ側のスライド部材７のガイドローラ１３から傾斜ガイド１１を通って回転ドラム２１に巻き付けられ、そして、回転ドラム２１から傾斜ガイド１２、ガイドローラ１４を経てキャプスタン２４、ピンチローラ２５、テープガイド２６及び２７を通ってティクアップ側リール２０に巻き取られるテープ走行系が構成される。
【００１７】
図２及び図３はスライド部材のローディング完了状態を拡大した平面図及び側面図を示したものであり、両スライド部材７，８及びストッパ部材１７，１８は同一構成であるため一方のスライド部材８とストッパ部材１８について詳細に説明する。
【００１８】
スライド部材８を構成するガイドベース１０の裏面には前後に左右一対ずつの接触凸部２８，２８及び２９，２９が一体形成されている。これら、接触凸部２８，２８及び２９，２９はガイド溝１６を跨ぐようにしてシャーシ３０の上面に接触可能である。また、ガイドベース１０の先端部裏面からは鍔付きボス３１が垂設されている。さらに、ガイドベース１０の先端部上面には鍔付きボス３１から偏心した位置に位置決めピン３２がねじ止めされ立設されている。
【００１９】
ガイドローラ１４はガイドベース１０から立設したガイドポール３３に回転可能に支持されており、このガイドポール３３と同軸にガイドベース１０の裏面からシャーシ３０のガイド溝１６を通して垂設したた軸ボス３４に上述したローディングギアと連結されたリンク６が接続されている。
【００２０】
一方、スライド部材８がローディング完了状態において位置決めされるストッパ部材１８はシャーシ３０上に止めねじ３５により固定されている。このストッパ部材１８はスライド部材８と対向する側が段状に高く水平に折り曲げ形成されており、その先端部にガイドベース１０から立設した位置決めピン３２と係合するＶ字状溝３６が形成されている。また、ストッパ部材１８のＶ字状溝３６と隣接する位置にスライド部材８の水平レベル調整ねじ３７が取り付けられている。尚、３８はローディング完了位置において鍔付きボス３１をシャーシ３０に非接触状態とするための逃げ溝である。
【００２１】
上述したように構成したローディング機構においてスライド部材８のローディング動作中の走行姿勢を図４に示す。
【００２２】
これによれば、テープガイド１４はスライド部材８と共にローディング方向へ前傾した状態で走行動作させるようにしている。すなわち、スライド部材８はガイドベース１０の前方側の接触凸部２８，２８をシャーシ３０の上面に接触させ、鍔付きボス３１をガイド溝１６に跨がってシャーシ３０の裏面に接触させた状態でシャーシ３０を挟持し摺動させるようにしている。このため、ガイドベース１０の後方側の接触凸部２９，２９はシャーシ３０から浮き上がり接触することはない。この前傾した走行動作はアンローディング動作についても同様である。
【００２３】
このようにスライド部材８の前傾姿勢によるローディング走行状態では、ガイドローラ１４により引き出されたテープＴはその上部側がガイドローラに接触して引き出されることになるため、上部側のテープテンションに比べて下部側のテープテンションが低くなって引き出される。
【００２４】
かくして、スライド部材８がローディング走行状態からストッパ部材１８に位置決めされる直前に、まず、鍔付きボス３１がシャーシ３０の裏面に形成した逃げ溝３８に入り込んでシャーシ３０とはフリー状態となり、その直後にガイドベース１０の位置決めピン３２がストッパ部材１８のＶ字状溝３６に突き当たって係合される。この際、ガイドベース１０は位置決めピン３２を支点として水平状態に起き上がる方向に回動付勢され、この結果、ガイドベース１０の上面先端部がストッパ部材１８の水平レベル調整ねじ３７の下端部に当接すると共にガイドベース１０の後方側の接触凸部２９，２９がシャーシ３０の上面に接触し、この際、ガイドベース１０の前方側の接触凸部２８，２８はシャーシ３０から浮き上がって非接触状態となる。これによって、図３に示したスライド部材８のローディング完了状態ではガイドベース１０はほぼ水平な姿勢状態となり、これに伴ってガイドローラ１４は前傾姿勢状態からほぼ垂直姿勢状態となる。
【００２５】
実際にはガイドローラ１４により引き出されたテープＴが傾斜ガイド１２を介して回転ドラム２１にヘリカルに巻き付けられる最適な姿勢状態にガイドローラ１４の姿勢が設定されることになる。
【００２６】
ガイドベース１０の水平姿勢状態、つまりガイドローラ１４の垂直姿勢状態は接触凸部２９，２９と水平レベル調整ねじ３７の先端部がストッパ部材１８の裏面から突出する長さによって決定されるものであり、このため、ガイドベース１０の水平状態の調整はローディング機構の組み立て後に最初に水平レベル調整ねじ３７を回転操作して出し入れすることにより以後の調整は不要となる。
【００２７】
尚、スライド部材８のローディング完了状態では、位置決めピン３２がガイドベース１０に対して偏心した位置に設けられているため、このときのガイドベース１０の旋回方向の動きは図２に示すようにガイドベース１０の裏面から垂設した軸ボス３４がガイド溝１６の溝部に接触してガイドベース１０の動きを規制している。
【００２８】
かくして、ローディング完了状態ではガイドローラ１４により回転ドラムに巻き付けられるテープは、その下部側のテープテンションを低く設定しているためドラムのリードに強く当たることもなく、テープ下エッジのテープダメージを解消することができる。
【００２９】
上述したように本発明におけるローディング機構のスライド部材８は、ローディング及びアンローディング動作中においてはガイドベース１０の裏面に形成した前方側の接触凸部２８，２８がシャーシ３０に接触して摺動されるようにし、ローディング完了状態ではガイドベース１０の裏面に形成した後方側の接触凸部２９，２９がシャーシ３０に接触してガイドベース１０及びガイドローラ１４の位置決めを行えるようにしたことで、スライド部材８の繰り返しの走行動作に対しても接触凸部２９，２９は摩耗することがなく、これによって、ローディング完了時のガイドローラの位置決めを常に正確に行えるという利点がある。
【００３０】
尚、本発明は、上述しかつ図面に示した実施例に限定されるものでなく、その要旨を逸脱しない範囲内で種々の変形実施が可能である。
【００３１】
実施例では鍔付きボス３１と位置決めピン３２とは位置がずれた状態に設けた場合について示したが、鍔付きボス３１と位置決めピン３２とを同軸的に一体成形するようにしてもよい。
【００３２】
また、実施例ではＶＴＲ装置のローディング機構に適用した場合について説明したが、ＶＴＲ装置以外、その他、回転ドラムに記録媒体用テープが巻き付けられる記録再生装置に広く適用可能である。
【００３３】
【発明の効果】
以上説明したように、本発明では、ガイドベース裏面の前後に一対づつ設けた接触凸部がローディング動作中とローディング完了時とで異なる接触凸部でシャーシと接触するようにしたことにより、ローディング完了時に一方側の接触凸部はシャーシとは非接触状態となり、他方側の接触凸部がガイドベースの位置決めのための凸部としてのみ作用し、これによって、他方側の接触凸部がシャーシとの摺接による摩耗が一切なく、ローディング完了時のテープガイドを常に正確に位置決めすることができるという効果がある。
【００３４】
また、ローディング動作状態では、一方側の接触凸部と鍔付きボスとがシャーシに摺接しスライド移動するようにしたので、一方側の接触凸部がローディング完了時のガイドローラの位置決めには一切関係なく非接触状態となり、ローディング動作中のみに寄与することができる。
【００３５】
また、ローディング完了時では、ローディング動作中、非接触状態であった他方側の接触凸部がシャーシに接触しガイドローラの姿勢の位置決めを行うようにしたので、この接触凸部の摩擦による摩耗が一切なくガイドローラの位置決めを常に正確に行うことができる。
【図面の簡単な説明】
【図１】本例によるテープローディング機構のローディング状態の平面図である。
【図２】テープローディング機構の要部の拡大平面図である。
【図３】テープローディング機構のローディング完了状態の側面図である。
【図４】テープローディング機構のローディング動作中の側面図である。
【符号の説明】
１，２  ローディングギア
５，６  リンク
７，８  スライド部材
９，１０  ガイドベース
１３，１４  ガイドローラ
１５，１６  ガイド溝
１７，１８  ストッパ部材
２１  回転ドラム
２８，２９  接触凸部
３０  シャーシ
３１  鍔付きボス
３２  位置決めピン
３６  Ｖ字状溝
３７  水平レベル調整ねじ
３８  逃げ溝
Ｔ  テープ
【図１】
0003572688.tif 000002
【図２】
0003572688.tif 000003
【図３】
0003572688.tif 000004
【図４】
0003572688.tif 000005